(57)【特許請求の範囲】
【請求項１】
天井内に埋設されるケーシング本体と、上記ケーシング本体の底面に取り付けられる化粧パネルとを有し、
上記ケーシング本体内には、ターボファンと、上記ターボファンの外周を囲むように配置される熱交換器と、上記熱交換器の下側に沿って配置されるドレンパンとを含み、
上記化粧パネルは、中央に四角形状の空気吸込口を有し、上記空気吸込口の各辺に沿って４箇所の空気吹出口が設けられており、上記空気吸込口には、四角形状の吸込グリルが着脱可能に取り付けられている天井埋込型空気調和機において、
上記化粧パネルには、上記吸込グリルの外周を支持する四角形状の上記空気吸込口を囲むベゼルを備え、
上記化粧パネルには、上記化粧パネルに対して上記ベゼルおよび上記吸込グリルの両方の取付位置の位置合わせを共に行う位置合わせ手段が設けられていることを特徴とする天井埋込型空気調和機。
【請求項２】
上記ベゼルは、４辺が互いに直交する四角形状に形成されており、上記位置合わせ手段は、上記４辺のうち少なくとも２辺に設けられていることを特徴とする請求項１に記載の天井埋込型空気調和機。
【請求項３】
上記位置合わせ手段は、上記化粧パネルの内底面から開放面側に向けて突設されたガイドリブと、上記ベゼルに設けられたガイド孔と、上記吸込グリルに設けられたガイド溝とからなり、
上記ガイドリブに上記ガイド孔を挿通し、上記ガイド孔を通って上記化粧パネルの底面の一部から突出した上記ガイドリブの先端を上記ガイド溝に挿通することを特徴とする請求項１または２に記載の天井埋込型空気調和機。
【請求項４】
上記ガイドリブは板状リブからなり、上記ガイド孔は上記ガイドリブが挿通可能な長方形状に形成されていることを特徴とする請求項３に記載の天井埋込型空気調和機。
【請求項５】
上記ガイドリブの一部には、上記化粧パネルと底面と平行な水平基準面を有し、上記水平基準面と上記ベゼルの端面とが互いに当接することにより、上記化粧パネルと上記ベゼルが水平に位置合わせされることを特徴とする請求項３または４に記載の天井埋込型空気調和機。
【発明の詳細な説明】
【技術分野】
【０００１】
本発明は、天井スラブと天井パネルとの間に埋設される天井埋込型空気調和機に関し、さらに詳しく言えば、化粧パネルの空気吸込口に取り付けられる吸込グリルの取付構造に関する。
【背景技術】
【０００２】
天井埋込型空気調和機は、箱形のケーシング本体が天井スラブと天井パネルとの間に形成された空間に埋設される。ケーシング本体の底面（室内に向く面）には、四角形状の化粧パネルが取り付けられ、通常は、化粧パネルの中央に空気吸込口が形成され、その周りに空気吹出口が設けられている。ケーシング本体の内部には、ターボファンと、上記ターボファンの外周を囲むように配置される熱交換器と、上記熱交換器の下部に配置されるドレンパンとを備えている（例えば特許文献１参照）。
【０００３】
化粧パネルの空気吸込口には、通常、四角形状の吸込グリルが着脱可能に取り付けられており、清掃時やメンテナンス時には、吸込グリルを取り外すことにより、ケーシング本体の底部が露出するようになっている。
【先行技術文献】
【特許文献】
【０００４】
【特許文献１】日本特許第４０５２２６４号公報
【特許文献２】日本特許公開２００７−１００９８０号公報
【発明の概要】
【発明が解決しようとする課題】
【０００５】
ところで、吸込グリルと化粧パネルはともにサイズが大きいため、寸法にばらつきや変形が生じやすい。とりわけ、吸込グリルは、薄い板状で脆弱部となるグリル部があるために撓みやすく変形しやすい。したがって、従来は取付時の吸込グリルの変形を許容するため、吸込グリルと化粧パネルとの隙間を大きく設計していた。
【０００６】
しかしながら、このように隙間を大きく設計すると、吸込グリルを化粧パネルに取り付けた際に生じる隙間が４辺で統一されずに美観を損ねる。
【０００７】
そこで、本発明の課題は、化粧パネルに対する吸込グリルの取付位置の位置決め精度を高めて、化粧パネルとの間に形成される隙間を狭くし、全体的に統一感のある美観が得られる天井埋込型空気調和機を提供することにある。
【課題を解決するための手段】
【０００８】
上述した課題を解決するため、本発明は、天井内に埋設されるケーシング本体と、上記ケーシング本体の底面に取り付けられる化粧パネルとを有し、上記ケーシング本体内には、ターボファンと、上記ターボファンの外周を囲むように配置される熱交換器と、上記熱交換器の下側に沿って配置されるドレンパンとを含み、上記化粧パネルは、中央に四角形状の空気吸込口を有し、上記空気吸込口の各辺に沿って４箇所の空気吹出口が設けられており、上記空気吸込口には、四角形状の吸込グリルが着脱可能に取り付けられている天井埋込型空気調和機において、上記化粧パネルには、上記吸込グリルの外周を支持する四角形状の上記空気吸込口を囲むベゼルを備え、上記化粧パネルには、上記化粧パネルに対して上記ベゼルおよび上記吸込グリルの両方の取付位置の位置合わせを共に行う位置合わせ手段が設けられていることを特徴としている。
【０００９】
より好ましい態様として、上記ベゼルは、４辺が互いに直交する四角形状に形成されており、上記位置合わせ手段は、上記４辺のうち少なくとも２辺に設けられている。
【００１０】
さらに好ましい態様として、上記位置合わせ手段は、上記化粧パネルの内底面から開放面側に向けて突設されたガイドリブと、上記ベゼルに設けられたガイド孔と、上記吸込グリルに設けられたガイド溝とからなり、上記ガイドリブに上記ガイド孔を挿通し、上記ガイド孔を通って上記化粧パネルの底面の一部から突出した上記ガイドリブの先端を上記ガイド溝に挿通する
【００１１】
また、上記ガイドリブは板状リブからなり、上記ガイド孔は上記ガイドリブが挿通可能な長方形状に形成されていることが好ましい。
【００１２】
さらに好ましくは、上記ガイドリブの一部には、上記化粧パネルと底面と平行な水平基準面を有し、上記水平基準面と上記ベゼルカバーの端面とが互いに当接することにより、上記化粧パネルと上記ベゼルカバーが水平に位置合わせされる。
【発明の効果】
【００１３】
本発明によれば、化粧パネル、ベゼルおよび吸込グリルの３つを１つの位置決め手段で共に位置合わせすることにより、ベゼルと化粧パネルとの間に形成される隙間が４辺で均一となり、さらにベゼルと吸込グリルとの間に形成される隙間も４辺で均一となるため、化粧パネルの表面全体に統一感が出て、見栄えがよい。
【図面の簡単な説明】
【００１４】
【図１】本発明の一実施形態に係る天井埋込型空気調和機の外観斜視図。
【図２】上記天井埋込型空気調和機の要部断面図。
【図３】化粧パネルの底面側から見た状態の分解斜視図。
【図４】風向板の（ａ）平面図、（ｂ）正面図、（ｃ）背面図、（ｄ）左側面図および（ｅ）中央縦断面図。
【図５】化粧パネルを底面側から見た斜視図。
【図６】化粧パネルの正面図。
【図７】ベゼルを底面側から見た斜視図。
【図８】ベゼルの正面図。
【図９】（ａ）化粧パネルに設けられたガイドリブの部分拡大斜視図，（ｂ）ベゼルに設けられたガイド孔の部分拡大斜視図，（ｃ）ガイドリブにガイド孔を挿通した状態を示す模式的な斜視図。
【図１０】化粧パネルにベゼルを取り付けた状態を示す部分断面正面図。
【図１１】吸込グリルの（ａ）正面側斜視図および（ｂ）背面側斜視図。
【図１２】吸込グリルの係止溝を模式的に示す拡大斜視図。
【図１３】ガイドリブ、ガイド孔および係止溝を全て係止させた状態を示す模式図。
【発明を実施するための形態】
【００１５】
次に、本発明の実施形態について図面を参照しながら説明するが、本発明はこれに限定されない。
【００１６】
図１および図２に示すように、この天井埋込型空気調和機１は、天井スラブ（図示しない）と天井パネルＴとの間に形成された空間に収納される直方体形状のケーシング本体２と、ケーシング本体２の底面Ｂ１に取り付けられる化粧パネル３とを備えている。
【００１７】
ケーシング本体２は、四角形状の天板２１と、同天板２１の各辺から下方に延在する４枚の側板２２とを有し、底面Ｂ１（図１では底面）が開放された箱形容器からなる。ケーシング本体２の内周面には、発泡スチロールからなる断熱材２３が設けられている。
【００１８】
ケーシング本体２の各角部には、吊下金具４が合計４箇所に設けられており、天井から吊り下げられた図示しない吊下ボルトに吊下金具４を係止することで、天井埋込型空気調和機１が天井に吊下固定される。
【００１９】
図２に示すように、ケーシング本体２の内部のほぼ中央には、送風機としてのターボファン２４が配置されており、ターボファン２４の外周には、ターボファン２４を囲むように熱交換器２５が例えば四角枠状に配置されている。
【００２０】
熱交換器２５の下部側には、冷房運転時に熱交換器２５で生成される結露水を受け止めるドレンパン６が設けられている。この実施形態において、ドレンパン６は、発泡スチロール樹脂製であり、露受け部６６を有するドレンパン本体６１と、熱交換器２５を通過した調和空気を化粧パネル３の空気吹出口３２に案内する空気吹出通路６４とを備えている。ドレンパン本体６１の露受け部６６の表面（熱交換器２５と対向する面）には、補強材を兼ねる硬質樹脂製のドレンシート６２が配置されている。
【００２１】
ドレンパン６は平面視で四角枠状に形成されており、その四角枠内が化粧パネル３の空気吸込口３１に連通する空気吸込通路６３となっている。空気吸込通路６３内には、空気吸込口３１から吸い込まれた空気をターボファン２４の吸込側へ案内するベルマウス２７が設けられている。ベルマウス２７の空気吸込口３１側の一部分には、電装品箱２８が設けられている。
【００２２】
図３〜図６を併せて参照して、化粧パネル３は、四角形状の扁平な枠体（外枠部とも言う）であって、吊下金具４にネジ止めされる。化粧パネル３は、中央に四角形状に開口された空気吸込口３１を有し、その空気吸込口３１の４辺に沿って長方形状の空気吹出口３２が４箇所に配置されている。
【００２３】
各空気吹出口３２の端部同士が互いに向き合う化粧パネル３のコーナー部Ｃには、隣接する空気吹出口３２の端部から吹き出された空気を、化粧パネル３のコーナー部Ｃへと導く導風通路３４が４箇所に設けられている。導風通路３４は、化粧パネル３の表面（底面）から内側に向かって一段凹まされた凹溝であり、一方の空気吹出口３２の長手方向の軸線と、他方の空気吹出通路３２の長手方向の軸線とが互いに直交するＬ字状に形成されている。
【００２４】
各空気吹出口３２には、風向板３３が回動可能に配置されている。図４（ａ）〜（ｅ）を参照して、各風向板３３は、空気吹出口３２の形状に合わせて直線状に形成された直線部３３１と、直線部３３１の両端に一体的に形成され、導風通路３４を覆う傾斜部３３２，３３２とを備えている。
【００２５】
直線部３３１は、表面側（図４（ｅ）では上面側）が緩やかに湾曲した凸曲面であり、裏面側（図４（ｅ）では下面）が、表面に合わせて緩やかに湾曲した凹曲面となるように形成されている。
【００２６】
傾斜部３３２は、直線部３３１と同じく、表面側が凸曲面で、裏面側が凹曲面の湾曲面であって、裏面側の凹曲面は、傾斜部３３２の基端側から先端３３２ａに向かって空気が案内されるようになっている。
【００２７】
風向板３３の裏面には、風向板３３の回転軸３３３が設けられている。この実施形態において、回転軸３３３は、直線部３３１の左右両端および中央の３箇所に同一軸線上に設けられている。
【００２８】
３箇所に設けられた回転軸３３３のうち２つ（図４（ｂ）において右側と中央の回転軸）は、化粧パネル３に設けられた図示しない軸受部によって係止される。残る１つの回転軸３３３（この例では、図４（ｂ）において左側の回転軸３３３Ｍ）は、後述するステッピングモータ３５の回転駆動軸に接続される。
【００２９】
各導風通路３４には、各風向板３３を回動するステッピングモータ３５が設けられている。この実施形態において、ステッピングモータ３５は、１枚の風向板３３に対して１つずつ空気吹出口３２の一方の短辺側に隣接して設けられている。
【００３０】
これによれば、運転停止時において各風向板３３は、図１に示すように、空気吹出口３２に沿って水平となるように回動し、空気吹出口３２を塞ぐ。その際、隣接する風向板３３の傾斜部３３２同士が互いに突き合わせられることにより、各導風通路３４も一緒に塞がれる。
【００３１】
また、運転時においては、各風向板３３が運転状況に応じて回動し、空気吹出口３２が化粧パネル３の底面Ｂ２に現れる。各空気吹出口３２から吹き出された空気の多くは、風向板３３の直線部３３１の表面に沿って案内され、所定の吹出角度で四辺方向から室内に向けて吹き出される。
【００３２】
また、空気吹出口３２の端部３２ａの近傍から吹き出された空気の一部は、傾斜部３３２の内周面３３２ｂに沿って先端部３３２ａに案内され、化粧パネル３の四隅のコーナー部Ｃから室内に向けて吹き出される。このようにして、この実施形態における天井埋込型空気調和機１は、化粧パネル３の各辺からの四方向に加え、４箇所のコーナー部Ｃを含めた全周方向（８方向）に向かって調和空気が吹き出される。
【００３３】
化粧パネル３には、内枠７１が空気吸込口３１を囲むように形成されており、内枠７１に吸込グリル５の外周を支持する四角形状のベゼル７２が取り付けられている。この実施形態において、内枠７１の外周には、発泡スチロール製の補助フレーム３７が配置されている。
【００３４】
図６〜図９を参照して、内枠７１は、空気吸込口３１の外周を囲むように４辺に沿って配置された４つの枠部７１ａ〜７１ｄを備えている。ここで、内枠７１の４箇所の枠部７１ａ〜７１ｄのうち、互いに対向する一対の枠部７１ａ，７１ｃまたは枠部７１ｂ，７１ｄのうち、一方の対の枠部７１ａ，７１ｃの間に直交する軸線をＸ軸、他方の対の枠部７１ｂ，７１ｄの間に直交する軸線をＹ軸、Ｘ軸およびＹ軸に直交する軸をＺ軸（図９参照）とする。
【００３５】
内枠７１は、Ｘ軸方向（この例では枠部７１ａ）またはＹ軸方向（この例では枠部７１ｂ，７１ｄ）に対向する一対の側板７１１，７１２と、各側板７１１，７１２の一端同士に連結される底板７１３とを有し、底面（図９（ａ）で上面）が開放された断面コ字状（樋状）に形成されており、その内部にステッピングモータ３５の電気信号線ＥＬが配線されている。図６に示すように、この実施形態において、一方の側板７１１は空気吹出口３２側に配置され、他方の側板７１２が空気吸込口３１側に配置されている。
【００３６】
この例において、電子信号線ＥＬは、化粧パネル３の四隅に１箇所ずつ配置されたステッピングモータ３５から引き出された４本の電気信号線ＥＬが配線されている。
【００３７】
内枠７１の枠部７１ａ〜７１ｄのうち、枠部７１ａ，７１ｂ，７１ｄの内周面には、電気信号線ＥＬを引っ掛けるための係止フック７３が突設されている。係止フック７３は、内枠７１の底面から突設されたＬ字鉤である。この実施形態において、係止フック７３は、枠部７１ａ，７１ｂ，７１ｄごとに５箇所ずつ設けられている。
【００３８】
さらに、枠部７１ａ，７１ｂ，７１ｄのほぼ中央には、内枠７１に対するベゼル７２および化粧パネル５を共に位置合わせするための位置合わせ手段の構成の１つとしてのガイドリブ７４（７４ａ，７４ｂ，７４ｄ）が設けられている。各ガイドリブ７４（７４ａ，７４ｂ，７４ｄ）の構成は基本的には同一である。以下においては、枠部７１ａに設けられたガイドリブ７４ａについて説明する。
【００３９】
図９（ａ）を参照して、ガイドリブ７４は、内枠７１の枠部７１ａの底板７１３から開放面７１４（図９（ａ）では上面）に向かって垂直方向（図９（ａ）ではＺ軸方向）に突設された基部７４１と、基部７４１の先端から垂直に突設された平板状のリブ本体７４３とを備えている。
【００４０】
基部７４１は、側板７１１に沿って立設され、その下端面（図９（ａ）では上端面）には、化粧パネル３の表面に沿って平行な水平基準面７４２が形成されている。
【００４１】
図９（ａ）に示すように、３箇所のリブ本体７４３のうち、ガイドリブ７４のリブ本体７４３は、水平断面の長辺がＸ軸方向に延在する長方体であり、基部７４１の水平基準面７４２の中央から、側板７１１の先端（図９（ａ）では上端）まで突設されている。
【００４２】
これに対し、ガイドリブ７４ｃ，７４ｄの各リブ本体７４３は、水平断面の長辺がＹ軸方向に延在する長方体であって、基部７４１の水平基準面７４２の中央から突設されている。
【００４３】
内枠７１の枠部７１ａ〜７１ｄのうち、枠部７１ｃには、吸込グリル５を係止するための軸受部７５が設けられている。軸受部７５は、吸込グリル５の係止部５３に係止される吊下具に設けられた支軸（ともに図示しない）を係止する軸受部であって、この例では３箇所が等間隔に配置されている。
【００４４】
図７および図８に示すように、ベゼル７２は、内枠７１の各枠部７１ａ〜７１ｄの開放面７１４を覆うように取り付けられる四角い環状の枠体であり、内枠７１にネジ止めされている。
【００４５】
図９（ｂ）および図９（ｃ）をさらに参照して、ベゼル７２は、内枠７１の側板７１１に沿って内枠７１内に差し込まれる第１案内板７２１と、第１案内板７２１の一端から直角に折り曲げられ、内枠７１の底板７１３に対して平行な第２案内板７２２とを断面Ｌ字型に組み合わせたものからなる。
【００４６】
第１案内板７２１の他端（図９（ｂ）では上端）には、化粧パネル３の表面とほぼ同一平面となるように  第１案内板７２１の他端からほぼ直角に折り曲げられ、化粧パネル３の表面の一部を構成するフランジ部７２３が形成されている。第２案内板７２２の他端には、内枠７１の他方の側板７１２の外周面（空気吸込口３１と対向する面）に係合する係合板７２４が形成されている。
【００４７】
ベゼル７２には、ベゼル７２を内枠７１に取り付ける際、内枠７１のガイドリブ７４との相対的な位置合わせの相手方としてのガイド孔７５が設けられてる。この実施形態において、ガイド孔７５は、ベゼル７２の各枠部７２ａ〜７２ｄのうち、枠部７２ａ，７２ｂ，７２ｄに設けられている。各ガイド孔７５は同一構成であるため、以下においてはいずれか１つについてのみ説明し、残り２箇所についての説明は省略する。
【００４８】
ガイド孔７５は、第１案内板７２１の基端（第２案内板７２２との連結端）からＺ軸方向に沿って平行に形成された第１ガイド孔７５１と、第２案内板７２２の基端（第１案内板７２１との連結端）からＸ軸方向（枠部７２ａの場合）またはＹ軸方向（枠部７２ｂ，７２ｄの場合）に沿って平行に形成された第２ガイド孔７５２とを有し、それらが一体的に組み合わされて断面Ｌ字状の１つのスリット孔が形成されている。
【００４９】
第１ガイド孔７５１は、第１案内板７２１と第２案内板７２２との基端から第１案内板７２１の延在方向のほぼ中央に至るまで長さの長孔であり、第２ガイド孔７５２は、第１案内板７２１と第２案内板７２２との基端から第２案内板７２２の延在方向のほぼ中央に至るまでの長さの長孔である。
【００５０】
各ガイド孔７５は、ベゼル７２と内枠７１の各ガイドリブ７４との相対的な位置合わせを行うため、内枠７１のガイドリブ７４の位置と同位置、この例では枠部７２ａ，７２ｂ，７２ｄのほぼ中央に配置されている。
【００５１】
ベゼル７２の各枠部７２ａ〜７２ｄには、ネジ止め用のネジ孔７２５が２箇所ずつ合計８箇所設けられている。ベゼル７２の各枠部７２ａ〜７２ｄのうち、枠部７２ｃは、内枠７１の枠部７１ｃの軸受部７５を露出させるための切欠部７２６が設けられている。この実施形態において、切欠部７２６は、各軸受部７５に対向する位置に３箇所設けられている。ネジ孔７２５および切欠部７２６の具体的な構成は本発明において任意事項である。
【００５２】
内枠７１にベゼル７２を取り付けるにあたっては、図９（ｃ）に示すように、まず、内枠７１の各枠部７１ａ〜７１ｄと、ベゼル７２の各枠部７２ａ〜７２ｄとの向きを合わせる。
【００５３】
次に、ガイドリブ７４のリブ本体７４３とベゼル７２のガイド孔７５との位置を合わせたのち、ガイド孔７５にリブ本体７４３を差し込む。しかるのち、図１３に示すように、ガイドリブ７４の水平基準面７４２に、ベゼル７２の第２案内板７２２の底面７２２ａが当接する位置までベゼル７２を差し込んで、各ネジ孔７２５をネジ止めする。
【００５４】
これによれば、図１０に示すように、内枠７１の中にステッピングモータ３５の電気信号線ＥＬが収納されて状態で、内枠７１とベゼル７２とがＸ−Ｙ−Ｚの各軸線方向の中心位置に位置決めされてネジ止めされる。
【００５５】
吸込グリル５は、上述したベゼル７２の内側に着脱自在に取り付けられる。図２および図１０を参照して、吸込グリル５は、多数の吸込孔５１を有する合成樹脂の成形品からなり、その背面には除塵フィルタ５２（図２参照）が保持されている。
【００５６】
吸込グリル５は正方形状に形成されており、４辺のうち、側辺５ａには、吸込グリル５をベゼル５３に取り付ける際、図示しない吊下具に係止される係止部５３が設けられている。この実施形態において、係止部５３は、ベゼルの軸受部７５の数に対応して３箇所に設けられている。
【００５７】
吸込グリル５にはさらに、吸込グリル５を取り外す際に用いられるリリースボタン５４が吸込グリルの２箇所の隅部に対向的に設けられている。これによれば、リリースボタン５４を押すことにより、吸込グリル５の背面（図１１（ｂ）の上面）側に設けられたラッチ（図示しない）が外れ、内枠７１との係合が解除される。
【００５８】
図１１（ｂ）を参照して、吸込グリル５の背面には、その外周に沿って補強リブ５５が形成されている。補強リブ５５は、吸込グリル５の背面から垂直に立設され、吸込グリル５の外周に沿って四角い環状に形成されている。
【００５９】
補強リブ５５の４辺のうち３辺には、吸込グリル５と内枠７１との相対的な位置合わせをする位置合わせ手段の構成の１つとしてのガイド溝５６が設けられている。図１２に示すように、ガイド溝５６は、補強リブ５５の上端から下端に向かって切り欠かれたＵ字溝からなり、補強リブ５５とガイド溝５６との角部が斜めに面取りされている。
【００６０】
吸込グリル５を内枠７１に取り付けるに当たっては、まず、内枠７１の軸受部７５に取り付けられた図示しない吊下具に係止部５３を引っ掛けることにより、吸込グリル５が化粧パネル３に吊り下げられる。
【００６１】
この吊下状態から吸込グリル５を内枠７１の周囲に沿って嵌め込む。その際、図１３に示すように、内枠７１のベゼル７２の内側から一部突出しているガイドリブ７４３の先端に、吸込グリル５のガイド溝５６を差し込むことにより、内枠７１と吸込グリル５とが位置合わせされる。
【００６２】
その結果、図１に示すように、ベゼル７２と化粧パネル３（風向板３３）との間に形成される隙間Ｇ１が４辺で均一となり、さらにベゼル７２と吸込グリル５との間に形成される隙間Ｇ２も４辺で均一となるため、化粧パネル３の表面全体に統一感が出て、見栄えがよい。
【００６３】
この実施形態において、位置合わせ手段としてのガイドリブ７４は、四角形状の内枠７１の枠部７１ａ，７１ｂ，７１ｄの３箇所に設けられているが、四角形状の内枠７１の４つの枠部（辺）のうち少なくとも２つの枠部（辺）に設けられていればよい。より好ましくは、互いに直交する隣接する２つの枠部（例えば枠部７１ａと枠部７１ｂ）に設けられていればよい。なお、対向する枠部（例えば枠部７１ｂと枠部７１ｄ）に位置合わせ手段を設けてもよいが、その場合は、位置合わせ手段を同一軸線上にならないように配置する必要がある。
【００６４】
これによれば、１つの位置決め手段によって化粧パネル３（内枠７１）とベゼル７２と吸込グリル５の位置合わせを共に行うことができる。この実施形態において、ガイドリブ７４は平板状であり、相手方のガイド孔７５はスリット孔であるが、ガイドリブ７４は、例えば円柱であってもよく、その場合、ガイド孔７５は丸孔で、ガイド溝５６は円柱の先端を受けるボスが好ましい。
【００６５】
以上説明したように、本発明によれば、化粧パネル、ベゼルおよび吸込グリルの３つを１つの位置決め手段で共通して位置合わせすることにより、ベゼルと化粧パネルとの間に形成される隙間（具体的にはベゼルと風向板との間の隙間）が４辺で均一となり、さらにベゼルと吸込グリルとの間に形成される隙間も４辺で均一となるため、化粧パネルの表面全体に統一感が出て、見栄えがよい。
【符号の説明】
【００６６】
１  天井埋込型空気調和機
２  ケーシング本体
２１  天板
２２  側板
２３  断熱材
２４  ターボファン
２５  熱交換器
２７  ベルマウス
２８  電装品箱
３  化粧パネル
３１  空気吸込口
３２  空気吹出口
３３  風向板
３４  導風通路
３５  ステッピングモータ
４  吊下金具
５  吸込グリル
５１  吸込孔
５２  除塵フィルタ
５３  係止部
５４  補強リブ
５５  ガイド溝
６  ドレンパン
７１  内枠
７２  ベゼル
７３  係止フック
７４  ガイドリブ
７５  ガイド孔
Ｃ  コーナー部
【図１】
0006481821.tif 000002
【図２】
0006481821.tif 000003
【図３】
0006481821.tif 000004
【図４】
0006481821.tif 000005
【図５】
0006481821.tif 000006
【図６】
0006481821.tif 000007
【図７】
0006481821.tif 000008
【図８】
0006481821.tif 000009
【図９】
0006481821.tif 000010
【図１０】
0006481821.tif 000011
【図１１】
0006481821.tif 000012
【図１２】
0006481821.tif 000013
【図１３】
0006481821.tif 000014